(57)【要約】      （修正有）【課題】磁気治療器の治療効果が適切に発揮できるように、人体の任意の箇所に、簡単に固定できるようにする、磁気治療器固定用サポータを提供する。【解決手段】親器１０、子器１２ａや１２ｂの、ベルト体１に面する側と、該ベルト体１の、親器１０、子器１２ａや１２ｂに面する側の夫々に、後述するフック部の範囲内なら脱着自在に、ベルト体１と、親器１０、子器１２ａや１２ｂとを係止する、フック部とループ部２ａが取り付けられている。【選択図】図５
0003169626.tif 000002
【実用新案登録請求の範囲】
【請求項１】
人体の任意の箇所に巻き付けて、回転磁気治療器を該人体に固定するベルト体を有しており、
上記回転磁気治療器のベルト体に面する側と該ベルト体の回転磁気治療器に面する側の夫々に、特定の範囲内なら脱着自在にベルト体と回転磁気治療器を係止する係止具が取り付けられていることを特徴とする磁気治療器固定用サポータ。
【請求項２】
上記係止具は、上記回転磁気治療器のベルト体に面する側と該ベルト体の回転磁気治療器に面する側の夫々に取り付けられた、フックアンドループで構成されることを特徴とする請求項１記載の磁気治療器固定用サポータ。
【考案の詳細な説明】
【技術分野】
【０００１】
本考案は、磁気治療器固定用サポータに関する。
【背景技術】
【０００２】
近年、磁気の有効性が各分野において幅広く確認され、特に一般に周知されて使用されている貼付用磁気治療器は、血行を善くし、肩こりなどを治療するために、テープ上面に貼着された永久磁石を身体の経穴に貼付することにより、その目的を達成している。
【０００３】
このように、貼付用磁気治療器が患部又は身体各部の経穴に貼着されると、たえず流動している人体の血液やリンパ液等の体液に磁場が作用することにより発生する起電力によって電流が発生するので、血液中のイオンが増加することとなる。すると、自律神経の働きが変わることになり血液の循環を促進するので、筋肉などのこりをほぐすという効果を有するものである。
【０００４】
さらに磁気の人体に及ぼす影響の研究が進むにつれて、靜磁場よりも変動磁場の方が人体中の血液等の体液の循環促進効果が優れているという認識が得られ、その結果、磁性回転体を電源によって回転させ、いわゆる回転磁場によって身体のこり等の治療を行うという構成が開発されている。
【特許文献１】実用新案登録第３１６６１４２号
【考案の開示】
【考案が解決しようとする課題】
【０００５】
しかし、このような回転磁気治療器１００は、図９に示すように、粘着テープ１０２などを使って、直接体の治療箇所にその構成を貼着せしめているため、腕・肘・脛・膝・肩・腰・腹などの体の屈伸・伸張などのある箇所には、その屈伸・伸張運動により、容易に剥がれてしまうと言う欠点があった。
【０００６】
また、上記特許文献１では、マイクロモータの駆動により、後述する図１に示すように、円柱状の磁石を器具内部で回転させる親器１０と、器具内部に円柱状の磁石のみが軸棒に支持されて、串状にした子器１２ａ及び１２ｂの構成が提案されており、親器１０に内蔵されたマイクロモータにより、軸に取り付けられた円柱状の磁石の回転させ、と同時に、軸に円柱状の磁石のみをとりつけた他の子器１２ａ及び１２ｂは、上記親器１０の回転する磁石から発生する回転磁場の影響により、子器１２ａ及び１２ｂの磁石も同期して回ることになるといった、回転磁気治療器などの構成が開発され、例えば子器を２つ使用した場合、３つの回転磁気装置を人体に貼り付け、その磁力線の効果により、肩こりや筋肉の疲れを取るなどと言った、効果のより高い構成もある。
【０００７】
特許文献１に示すような新しい構成の場合には、人体に、各器具を貼り付けて使用する際、医療用んぼ粘着テープ１０２により、一つ一つを該テープに貼り付けた後に、人体の部位に貼り付けている。
【０００８】
そのような３つの器具は、親器に内蔵されたマイクロモータにより、軸に取り付けられた円柱状の磁石の回転させることでその効果が発揮できる。その場合に、軸に円柱状の磁石のみをとりつけた他の子器１２ａ及び１２ｂは、上記親器１０の回転する磁石から発生する回転磁場の影響により、子器１２ａ及び１２ｂの磁石も同期して回ることになる。
【０００９】
従って、このような２つの子器１２ａ及び１２ｂの磁石を回転させるならば、親器１０と各子器１２ａ及び１２ｂとの向きや３点を結ぶ角度などにより、その回転が微妙に変化する為、お互いの位置を確認し（確実に３つの器具内部の磁石が回転している事を確かめ）た後に、上記テープにより、人体に固定することになる。
【００１０】
しかし、そのような固定を、一人で行うには非常に難しい箇所もあることは、使ってみれば良く分かることである。
【００１１】
本考案は、以上のような問題に鑑み創案されたもので、磁気治療器の治療効果が適切に発揮できるように、人体の任意の箇所に、簡単に固定できるようにする、磁気治療器固定用サポータを提供せんとするものである。
【課題を解決するための手段】
【００１２】
本考案に係る磁気治療器固定用サポータの構成は、
人体の任意の箇所に巻き付けて、回転磁気治療器を該人体に固定するベルト体を有しており、
上記回転磁気治療器のベルト体に面する側と該ベルト体の回転磁気治療器に面する側の夫々に、、特定の範囲内なら脱着自在にベルト体と回転磁気治療器を係止する係止具が取り付けられていることを基本的特徴としている。
【００１３】
上記係止具は、上記回転磁気治療器のベルト体に面する側と該ベルト体の回転磁気治療器に面する側の夫々に取り付けられた、フックアンドループで構成されると、より簡単に取り付けられるようになる。
【００１４】
上記構成によれば、磁気治療器をテープなどで人体に直接貼り付けることなく、器具底部に、上記係止具の一方（例えばカギ状のフックが無数に付いた凸状部）を取り付け、人体に固定する為のベルト体の任意の箇所に上記係止具の他方（例えば起毛のようになっているループ状の凹状部）を取り付けているため、これらの係止具同士で、ベルト体の任意の箇所に磁気治療器を簡単に固定でき、且つその取り付け位置を自在に変更できるようになる。
【考案の効果】
【００１５】
以上のような本考案の構成によれば、磁気治療器をテープなどで人体に直接貼り付けることなく、器具底部に、上記係止具の一方が取り付けられ、人体に固定する為のベルト体の任意の箇所に上記係止具の他方が取り付けているため、これらの係止具同士で、ベルト体の任意の箇所に磁気治療器を簡単に固定でき、且つその取り付け位置を自在に変更できるため、磁気治療器の治療効果が適切に発揮可能になるという優れた効果を奏し得る。
【考案を実施するための最良の形態】
【００１６】
以下、本考案の実施の形態を、添付図面に基づき説明する。
【００１７】
図１は、上記特許文献１の基本構成を示す説明図である。同図に示すように、親器１０と２つの子器１２ａ及び１２ｂで構成される回転磁気治療器の構成が示されている。
【００１８】
この構成では、親器１０は、内蔵されたマイクロモータが駆動することにより、円柱状の磁石が、該器具内部で回転させられ、回転方向に沿って磁極が形成される構成となっている。
【００１９】
一方、子器１２ａ及び１２ｂは、器具内部に円柱状の磁石のみが軸棒に支持されて、串状にした構成であって、回転方向に沿って磁極が形成された上記磁石が回転自在になっている。
【００２０】
この親器１０と子器１２ａ及び１２ｂとの始動関係は、親器１０の円柱状磁石の回転駆動に従って子器１２ａ及び１２ｂの円柱状磁石を回転従同できるようになっている。すなわち、上記親器１０の回転する磁石から発生する回転磁場の影響により、子器１２ａ及び１２ｂの磁石も同期して回ることになる。
【００２１】
これらの親器１０と子器１２ａ及び１２ｂは、例えば、同一平面において、親器１０の周囲の任意の場所に子器１２ａ及び１２ｂ（本来１個又は３個以上でも構わない）を配置することで、親器１０の円柱状磁石の回転駆動によって、親器１０の周囲に変動磁場を発生させるとともに、上記親器１０の円柱状磁石の回転駆動に伴って、親器１０と子器１２ａ及び１２ｂの円柱状磁石の磁極による吸引、反発力によって従動する子器１２ａ及び１２ｂの円柱状磁石が回転従動し、それによって子器１２ａ及び１２ｂの周囲にも変動磁場を発生させることとなる。従って、親器１０と子器１２ａ及び１２ｂの間を含め、これら親器１０、子器１２ａ及び１２ｂの全周囲に亘る広範囲な面領域において変動磁場を発生させることができるようになる。
【００２２】
このように、上記親器１０の回転による磁場の影響で、子器１２ａ及び１２ｂ内部では、内蔵された磁石が回転するように構成されており、図示されたように、例えば子器１２ａ及び１２ｂを２つ使用した場合、３つの回転磁気治療器を人体に貼り付ることで、その磁力線の効果により、肩こりや筋肉の疲れを取ることが可能となっている。
【００２３】
すなわち、親器１０内部のマイクロモータにより、強制的に回転される磁石から発生する磁場の影響により、子器１２ａ及び１２ｂの２個を回転させ、３個の回転磁石が同時に回転して、これらを貼り付けた人体に対して、磁気効果による肩のコリや痛み等を和らげることができるようになっている。
【００２４】
従って、このような２つの子器１２ａ及び１２ｂの磁石を回転させるならば、親器１０と各子器１２ａ及び１２ｂとの向きや３点を結ぶ角度などにより、その回転が微妙に変化することになる。
【００２５】
本実施例では、図２〜図５に示すように、親器１０と、子器１２ａ及び１２ｂとからなる回転磁気治療器を、身体に巻き付けて使用するベルト体１の裏面側の任意の箇所に、取り付けて使用することになる。
【００２６】
そのうち図２（ａ）は、親器１０の表面側を、同図（ｂ）は、親器１０の裏面側を、夫々示している。図２（ｂ）に示されるように、親器１０の裏面側には、フック部２ｂが一面に貼り付けられている。本実施例における子器１２ａ及び１２ｂの裏面側にも、ループ部２ａが、同様に、一面に貼り付けられている。
【００２７】
一方、図３は、腕、膝、脚用に使用される、本実施例のベルト体１を示す斜視図である。同図に示すように、ベルト体１の裏面側に、ループ部２ａが貼着されている。
【００２８】
これらの人体への使用に当たっては、図４に示すように、ベルト体１の裏面側のループ部２ａに、親器１０と子器１２ａ及び１２ｂとの位置関係につき、その使用状態を考えながら、その裏面側に貼り付けられたフック部２ｂを重ねて、置く。
【００２９】
同図は、これから親器１０をベルト体１のループ部２ａに載置することで、ベルト体１が身体の一部に巻き付けられた時に、親器１０と子器１２ａ及び１２ｂとが特定の位置関係になるような、貼り付け行為を行う状態を示している。
【００３０】
これらの親器１０と、子器１２ａ及び１２ｂが作る磁界は、これらの配列によって様々に変化する。お互いの磁場が、反発したり、引き合ったりすると、内部に備えられた磁石が回転しなくなるので、この現象を避けて、例えば、一列に並べる方法やトライアングルに配列する方法など、内部の磁石が回転する位置に配列させる必要がある。
【００３１】
図５（ａ）は、ベルト体１の裏面側に、フック部２ｂとループ部２ａにより、親器１０と子器１２ａ及び１２ｂとが、３点を結ぶトライアングル状になるように、取り付けられた状態を示している。このように配置することで、３点を結ぶトライアングルを基本的形状として、さらにその周囲にふくらむ磁力線が形成され、人体の広い部分をカバーしながら、そのカバー部分の肩こりや筋肉の疲れを取るなどと言った、磁力線の治療効果が得られることになる。
【００３２】
同図（ｂ）は、（ａ）の場合とは異なり、親器１０と子器１２ａ及び１２ｂとが、ベルト体１の裏面側に一直線上に並ぶ使用状態を示している。
【００３３】
図６は、以上のようにして、ベルト体１の裏面側に、親器１０と子器１２ａ及び１２ｂが貼り付けられた状態で、そのベルト体１を、脚の太もも部分に、巻き付けようとしている状態を示している。
【００３４】
図７は、脚の太もも部分に、ベルト体１を、巻き付け終わった状態を示している。
【００３５】
一方、図８は、腰や腹用に使用される、本実施例のベルト体１を示す斜視図である。同じく、ベルト体１の裏面側に、ループ部２ａが貼着されている。
【００３６】
以上詳述した本実施例に係る磁気治療器固定用サポータの構成によれば、親器１０、子器１２ａ、１２ｂなどの回転磁気治療器を、テープなどで人体に直接貼り付けることなく、これらの器具底部に、上記係止具であるフック部２ｂとループ部２ａの夫々が取り付けられているため、これらの係止具同士で、ベルト体１の任意の箇所に、これら３つの回転磁気治療器を簡単に固定でき、且つその取り付け位置を自在に変更できるようになる［図５（ａ）や（ｂ）の他、子器などの使用個数を適宜増やすことで取り付け位置の変更はより多彩になる］。そのため、自分にあった適切な磁気治療器の治療効果が、確実且つ簡単に発揮できるようになる。
【００３７】
尚、本考案の磁気治療器固定用サポータは、上述の図示例にのみ限定されるものではなく、本考案の要旨を逸脱しない範囲内において種々変更を加え得ることは勿論である。例えば、ベルト体１０は、人体に磁気治療器を装着できるものであれば、テープなど以外、何でも使用可能である。
【産業上の利用可能性】
【００３８】
本考案の磁気治療器固定用サポータは、治療用以外にも、例えば美顔などの美容用にも適用できることになる。
【図面の簡単な説明】
【００３９】
【図１】特許文献１の基本構成を示す説明図である。
【図２】親器１０の表面側の状態と、親器１０の裏面側に、フック部２ｂが一面に貼り付けられた状態を示す説明図である。
【図３】ベルト体１の裏面側に、ループ部２ａが貼着された状態を示す斜視図である。
【図４】ベルト体１の裏面側のループ部２ａに、親器１０と子器１２ａ及び１２ｂとの位置関係につき、その使用状態を考えながら、その裏面側に貼り付けられたフック部２ｂを重ねて、置く状態を示す説明図である。
【図５】ベルト体１の裏面側に、親器１０と子器１２ａ及び１２ｂとの、取り付け状態を示す説明図である。
【図６】ベルト体１の裏面側に、親器１０と子器１２ａ及び１２ｂが貼り付けられた状態で、そのベルト体１を、脚の太もも部分に、巻き付けようとしている状態を示す説明図である。
【図７】脚の太もも部分に、ベルト体１を、巻き付け終わった状態を示す説明図である。
【図８】腰や腹用に使用される、本実施例のベルト体１を示す斜視図である。
【図９】粘着テープ１０２を使用した、回転磁気治療器１００の従来の使用状態を示す説明図である。
【符号の説明】
【００４０】
１            ベルト体
２ａ          ループ部
２ｂ          フック部
１０            親器
１２ａ、１２ｂ  子器
１００            回転磁気治療器
１０２            粘着テープ
【図１】
0003169626.tif 000003
【図２】
0003169626.tif 000004
【図３】
0003169626.tif 000005
【図４】
0003169626.tif 000006
【図５】
0003169626.tif 000007
【図６】
0003169626.tif 000008
【図７】
0003169626.tif 000009
【図８】
0003169626.tif 000010
【図９】
0003169626.tif 000011
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
人体の任意の箇所に巻き付けて、回転磁気治療器を該人体に固定するベルト体を有しており、
上記回転磁気治療器のベルト体に面する側と該ベルト体の回転磁気治療器に面する側の夫々に、フックアンドループで構成される係止具が取り付けられていることを特徴とする磁気治療器固定用サポータ。